(57)【要約】【課題】搬送用コンベアー支持用の断面箱型のトラス架構を提供することにある。【解決手段】間隔をおいて並行する複数の上弦材と複数の下弦材とを有するコンベアー支持用の断面箱型のトラス架構において、断面角形鋼管における対角方向の一つのコーナー部８が頂部に位置するように配置された第１角形鋼管をトラス架構の各隅部の上弦材４または下弦材５として所定の位置に配置し、断面角形鋼管における対角方向の一つのコーナー部８が頂部に位置するように配置された第２角形鋼管またはコーナー部８が頂部に位置するように配置された山形鋼を、前記トラス架構１における横方向の繋ぎ梁２あるいは横方向の斜材７として所定の位置に配置し、前記繋ぎ梁２あるいは横方向の斜材７の端部は、前記端部に溶接により固定されると共に縦向きに配置されたガセットプレート３を介して接合されている。【選択図】図１
2011099313.tif 000002
【特許請求の範囲】
【請求項１】
間隔をおいて並行する複数の上弦材と複数の下弦材とを有するコンベアー支持用の断面箱型のトラス架構において、断面角形鋼管における対角方向の一つのコーナー部が頂部に位置するように配置された第１角形鋼管をトラス架構の各隅部の、上弦材または下弦材として所定の位置に配置し、断面角形鋼管における対角方向の一つのコーナー部が頂部に位置するように配置された第２角形鋼管またはコーナー部が頂部に位置するように配置された山形鋼を、前記トラス架構における横方向の繋ぎ梁あるいは横方向の斜材として所定の位置に配置し、前記繋ぎ梁あるいは横方向の斜材の端部は、前記端部に溶接により固定されると共に縦向きに配置されたガセットプレートを介して接合されていることを特徴とするコンベアー支持用の断面箱型のトラス架構。
【請求項２】
横方向の繋ぎ梁と横方向の斜材との端部に、部材軸方向に延長するスリットが設けられ、そのスリットに縦向きにガセットプレートが配置されると共に、溶接により固定されていることを特徴とする請求項１に記載のコンベアー支持用の断面箱型のトラス架構。
【請求項３】
前記繋ぎ梁あるいは横方向の斜材の端部は、前記端部に溶接により固定されると共に縦向きに配置されたガセットプレートを介してボルト接合されていることを特徴とする請求項１に記載のコンベアー支持用の断面箱型のトラス架構。
【請求項４】
前記繋ぎ梁あるいは横方向の斜材の端部は、前記端部に溶接により固定されると共に縦向きに配置されたガセットプレートを介して溶接接合されていることを特徴とする請求項１に記載のコンベアー支持用の断面箱型のトラス架構。
【請求項５】
横方向の繋ぎ梁と横方向の斜材の上面は、急傾斜上面とされていることを特徴とする請求項１〜４のいずれか１項に記載のコンベアー支持用の断面箱型のトラス架構。
【請求項６】
コンベアー支持用の断面箱型のトラス架構の部材の上面は、水平面に対し少なくとも４５度傾斜していることを特徴とする請求項１〜４のいずれか１項に記載のコンベアー支持用の断面箱型のトラス架構。
【請求項７】
前記ガセットプレートが接合される断面角型鋼管の接合部に補強鋼板を溶接により固定することにより断面角形鋼管の管壁を補強していることを特徴とする請求項1〜６のいずれか１項に記載のコンベアー支持用の断面箱型のトラス架構。
【発明の詳細な説明】
【技術分野】
【０００１】
本発明は、石炭、コークス等のバラ物を搬送するコンベアーを支持するためのコンベアー支持用の断面箱型のトラス架構に関する。
【背景技術】
【０００２】
従来、石炭、コークス等のバラ物の搬送コンベアー支持用の断面箱型のトラス架構として、例えば、図１７〜図２０に示すような大型の断面箱型のトラス架構２０がある。
この箱型構造のトラス架構２０は、断面Ｈ形鋼材２１の各フランジ２２を上フランジおよび下フランジとして、それぞれ上下に配置すると共に横方向に延長するように平行に配置して上弦材２３あるいは下弦材２４として使用している。
また、一側部の前記上弦材２３と下弦材２４とを、これらに設けられた縦向きガセットプレート２５を介して、束材２７あるいは斜材２８と溶接等により固定することで連結して、側面トラス梁２９を構成している。前記の束材２７あるいは斜材２８は、溝形鋼のウェブが垂直面内に位置するように溝形鋼２６を縦向きに配置している。
【０００３】
また、横方向に間隔をおいて並行に隣り合う側面トラス梁２９相互間における上弦材２３相互又は下弦材２４相互を、溝形鋼２６のフランジを上下に配置するようにした繋ぎ梁３０を弦材長手方向に間隔をおいて多数平行に配置すると共に連結している。また、前記各繋ぎ梁３０の中間部に水平方向に張り出す横方向張り出しガセットプレート３１を設けている。また、上弦材２３または下弦材２４に横方向に張り出す横方向張り出しガセットプレート３１を弦材長手方向に間隔をおいて多数設けて、弦材側の横方向張り出しガセットプレート３１と繋ぎ梁３０側の横方向張り出しガセットプレート３１とを、横方向の斜材３２により連結している。横方向の斜材３２は、上面が平坦面となるように一辺を横向き（図示の場合は水平配置）に配置すると共に、横方向に延長するように配置された山形鋼からなり、上弦材２３（または下弦材２４）と繋ぎ梁３０と横方向の斜材３２とによりトラス構造となるように連結している。
また、このような箱型構造のトラス架構２０においては、内部空間が大きく形成できるため、図２０に示すように、搬送用コンベアー３３におけるフレーム３４を繋ぎ梁３０に支持させるように脚部３５を設置し、断面箱型のトラス架構２０の内側空間内に搬送用コンベアー３３を配置する形態となる。
【０００４】
なお、これらの形態では、上弦材２３相互または下弦材２４相互を直列に配置して連結する場合には、添え板あるいは端部フランジを設けて、弦材相互を連結したり、繋ぎ梁あるいは弦材と斜材等をボルト等を用いて連結するようになる。
【０００５】
このような断面箱型のトラス架構２０に粉体を含むバラ物を搬送するコンベアーを設置して搬送した場合、上弦材２３あるいは下弦材２４における上フランジ２２上面には、塵埃が堆積し易いと共に、その下方の下フランジ２２にも塵埃が堆積し易く、特に、下フランジ２２上の塵埃は、上面からの洗浄あるいは下フランジ２２下面側からの水噴射により洗浄する場合には、影面（裏面）となっていることから洗浄しづらいという問題がある。
また、繋ぎ梁３０の上フランジ２２上面、あるいは下フランジ２２上面も前記と同様な問題がある。
また、上弦材２３または下弦材２４と繋ぎ梁３０を連結するための、ガセットプレートは、水平方向に張り出す横方向張り出しガセットプレート３１である。
このような箱型構造のトラス架構では、上弦材２３あるいは下弦材２４または上下の繋ぎ梁３０の上下のフランジ上、横方向張り出しガセットプレート３１、横方向の斜材３２の上フランジ２２上は、平坦な上面であるため、塵埃等が堆積し易いと共に雨水が滞留し易い構造となっており、腐食上不利な構造である。
【０００６】
また、図２１から図２３に示すように、上弦材２３あるいは下弦材２４として鋼製管体を使用すると共に、側面トラス梁２９を形成している束材２７あるいは斜材２８として同様に小径の鋼製パイプ材を使用して鉛直配置のガセットプレート２５を介して連結し、さらに側面トラス梁２９相互を、横方向に張り出すように設けられた横方向張り出しガセットプレート３１を介して鋼製パイプ材からなる傾斜繋ぎ梁３０により連結するようにした箱型構造のトラス架構２０もある。
【０００７】
また、このような箱型構造のトラス架構２０においては、図２３に示すように、搬送コンベアー３３におけるフレーム３４を上弦材２３に支持させるように脚部３５を設置し、断面箱型のトラス架構２０の上部に搬送コンベアー３３を配置する形態となる。
【０００８】
このような箱型構造のトラス架構２０では、上弦材２３あるいは下弦材２４あるいは横方向に傾斜した傾斜繋ぎ梁３０として、円形鋼管を使用しているため、円形鋼管の中心軸線で横中心軸線を基準として右周りまたは左周りで４５°までは、弦材側面は急傾斜側面であるが、４５°を越えて９０°までの弦材上端面は、平坦に近い緩い円弧状緩傾斜面３６となっているため、平板よりは塵埃堆積あるいは雨水滞留を少なくする点で効果が見込めるが、弦材頂部の平坦に近い緩い円弧状緩傾斜面３６上に、塵埃等が堆積し易いと共に雨水が滞留し易い構造となっており、腐食上不利な構造である。
【０００９】
また、上弦材２３あるいは下弦材２４と横方向の傾斜繋ぎ梁３０とを、横方向に張り出すガセットプレート３１を介して連結している構造であるので、横方向に張り出すガセットプレート３１上の平坦な上面に、塵埃等が堆積し易いと共に雨水が滞留し易い構造となっており、この点でも、腐食上不利な構造である。
【００１０】
なお、これらの形態でも、上弦材２３相互を直列に配置して連結する場合には、添え板あるいは端部フランジ３７を設けて、上弦材２３の端部相互を連結したり、繋ぎ梁３０あるいは弦材２３（２４）と斜材３２等を、ボルト等を用いて連結するようになる。
【先行技術文献】
【特許文献】
【００１１】
【特許文献１】特開平０９−８６６４０号公報
【特許文献２】特開２００２−２７５６６３号公報
【発明の概要】
【発明が解決しようとする課題】
【００１２】
前記のように、従来の場合は、上弦材２３あるいは下弦材２４として、Ｈ形鋼あるいはＩ形鋼の各フランジ２２を上部および下部にそれぞれ横向きに配置したり、上面トラス架構あるいは下面トラス架構の斜材にＨ形鋼を前記と同様な向きに配置して使用したり、溝形鋼のフランジあるいはウェブ、または山形鋼の一辺を前記と同様に横方向に延長するように配置して用いており、これらの部材の上側の平坦部あるいは凹部は、粉体混じりのバラ物を搬送する場合に粉塵が堆積したり、雨水の滞留が生じやすいという問題がある。
また、粉塵が堆積すると雨水などが滲み込み酸性やアルカリ性の湿潤状態が単に保たれるため、構造躯体を腐食させたり、構造躯体の塗装塗膜を損傷させ加速する恐れがあるという問題がある。
また、前記のように、弦材または束材あるいは斜材として円形鋼管を用い水平配置のガセットプレートを介して接合する構造では、断面円形でるため、部材上面が曲面となることで平板よりは、粉塵の堆積あるいは雨水の滞留の点で効果が見込めるが、断面円形の頂上付近は平坦であり堆積が生じる。また、これらの構造においても部材接合部のガセットプレートは水平であり、接合部への堆積防止にはなっていない。
また、コンベアーのローラー支持構造の一部に、山形鋼を山傘向きに配置するアイデアはあるが、その他の部分や接合部に対する配慮もなく、コンベアー用の架構全体の粉塵堆積レス化には効かない。
また、Ｈ形鋼あるいはＩ形鋼では、上下のフランジ上面を水平あるいは横向きに配置する場合には、上フランジの上面あるいは下フランジの下面は、洗浄しやすいが、下フランジ上面（特に、間隔をおいて並行する内側の弦材における下フランジ上面）は表の面ではなく、裏面であり、上面から見て上弦材から隠れる下側の弦材は、２重の裏面となっているため、洗浄が容易でないと共に、堆積した塵埃あるいは雨水の滞留を容易に除去できない部分である。
【００１３】
本発明は、前記の問題点を有利に解決し、弦材および横方向の繋ぎ材あるいは横方向の斜材の上面を急傾斜上面とすると共に、ガセットプレートを縦向きに配置することで、水平配置する場合に比べて部材上面側の平面な部分の面積をなくし、塵埃の堆積、雨水の滞留を少なく洗浄する場合にも塵埃の洗い落としが容易であり、これらによる腐食の低減を図ることが可能で、しかも洗浄清掃性を格段に高める効果があり、加えてトラス構造体の寿命を延ばすことが可能な搬送コンベアー支持用の断面箱型のトラス架構を提供することを目的とする。
【課題を解決するための手段】
【００１４】
前記の課題を有利に解決するために、第１発明のコンベアー支持用の断面箱型のトラス架構においては、間隔をおいて並行する複数の上弦材と複数の下弦材とを有するコンベアー支持用の断面箱型のトラス架構において、断面角形鋼管における対角方向の一つのコーナー部が頂部に位置するように配置された第１角形鋼管をトラス架構の各隅部の上弦材または下弦材として所定の位置に配置し、断面角形鋼管における対角方向の一つのコーナー部が頂部に位置するように配置された第２角形鋼管またはコーナー部が頂部に位置するように配置された山形鋼を、前記トラス架構における横方向の繋ぎ梁あるいは横方向の斜材として所定の位置に配置し、前記繋ぎ梁あるいは横方向の斜材の端部は、前記端部に溶接により固定されると共に縦向きに配置されたガセットプレートを介して接合されていることを特徴とする。
第２発明では、第１発明のコンベアー支持用の断面箱型のトラス架構において、横方向の繋ぎ梁と横方向の斜材との端部に、部材軸方向に延長するスリットが設けられ、そのスリットに縦向きにガセットプレートが配置されると共に、横方向の繋ぎ材あるいは横方向の斜材の上面側で前記ガセットプレートは溶接により固定されていることを特徴とする。
第３発明では、第１発明のコンベアー支持用の断面箱型のトラス架構において、前記繋ぎ梁あるいは横方向の斜材の端部は、前記端部に溶接により固定されると共に縦向きに配置されたガセットプレートを介してボルト接合されていることを特徴とする。
第４発明では、第１発明のコンベアー支持用の断面箱型のトラス架構において、前記繋ぎ梁あるいは横方向の斜材の端部は、前記端部に溶接により固定されると共に縦向きに配置されたガセットプレートを介して溶接接合されていることを特徴とする。
第５発明では、第１発明〜第４発明のいずれかのコンベアー支持用の断面箱型のトラス架構において、横方向の繋ぎ梁と横方向の斜材の上面は、急傾斜上面とされていることを特徴とする。
第６発明では、第１発明〜第４発明のいずれかのコンベアー支持用の断面箱型のトラス架構において、コンベアー支持用の断面箱型のトラス架構の部材の上面は、水平面に対し少なくとも４５度傾斜していることを特徴とする。
第７発明では、第１発明〜第６発明のいずれかのコンベアー支持用の断面箱型のトラス架構において、前記ガセットプレートが接合される断面角型鋼管の接合部に補強鋼板を溶接により固定することにより断面角形鋼管の管壁を補強していることを特徴とする。
【発明の効果】
【００１５】
第１発明によると、間隔をおいて並行する複数の上弦材と複数の下弦材とを有するコンベアー支持用の断面箱型のトラス架構において、断面角形鋼管における対角方向の一つのコーナー部が頂部に位置するように配置された第１角形鋼管をトラス架構の各隅部の上弦材または下弦材として所定の位置に配置し、断面角形鋼管における対角方向の一つのコーナー部が頂部に位置するように配置された第２角形鋼管またはコーナー部が頂部に位置するように配置された山形鋼を、前記トラス架構における横方向の繋ぎ梁あるいは横方向の斜材として所定の位置に配置し、前記繋ぎ梁あるいは横方向の斜材の端部は、前記端部に溶接により固定されると共に縦向きに配置されたガセットプレートを介して接合されているので、弦材，横方向の繋ぎ梁あるいは横方向の斜材の上面を急傾斜面とすることができ、また、ガセットプレートを垂直等の縦向きに配置する形態としたので、ガセットプレートの上面を水平配置する従来の場合に比べて少ない水平方向の面積とすることができ、また、弦材または横方向の繋ぎ梁あるいは横方向の斜材の上面の急傾斜上面上に堆積する塵埃等の堆積を少なくすることができ、また、雨水または水洗浄等による雨水の滞留を抑制することができる。また、塵埃等の堆積あるいは雨水等の滞留によるトラス架構の腐食を防止することができる。また、塵埃等の堆積あるいは雨水等の滞留によるトラス架構に設けられる塗装塗膜の損傷を防止することができる。その結果、塵埃等の堆積あるいは雨水等の滞留等のない環境として、耐候性の高い断面箱型のトラス架構とすることができ、断面箱型のトラス架構の寿命を延ばすことができる等の効果が得られる。
第２発明によると、横方向の繋ぎ梁と横方向の斜材との端部に、部材軸方向に延長するスリットが設けられ、そのスリットに縦向きにガセットプレートが配置されると共に、縦向きのガセットプレートに部材軸方向に延長するスリットが設けられ、そのスリットに前記繋ぎ梁と横方向の斜材を配置されると共に、溶接により固定されているので、単に、横方向の繋ぎ梁あるいは横方向の斜材の端部にスリットを設けてその部分を縦向きのガセットプレートに配置して、横方向の繋ぎ梁あるいは横方向の斜材を、これらを取り付ける側（繋ぎ梁に対しては弦材、または斜材に対しては弦材または繋ぎ梁）のガセットプレートに溶接により固定することができ、溶接作業が容易になるばかりでなく、ガセットプレートの上面側の面積を少なくすることができ、その結果、ガセットプレートの上面側の塵埃等の堆積を少なくすることができ、また、雨水または水洗浄等による雨水の滞留を抑制することができる。また、塵埃等の堆積あるいは雨水等の滞留によるトラス架構の腐食を防止することができる。また、塵埃等の堆積あるいは雨水等の滞留によるトラス架構に設けられる塗装塗膜の損傷を防止することができる。その結果、トラス架構の寿命を延ばすことができる等の効果が得られる。
第３発明によると、前記繋ぎ梁あるいは横方向の斜材の端部は、前記端部に溶接により固定されると共に縦向きに配置されたガセットプレートを介してボルト接合されているので、繋ぎ梁あるいは横方向の斜材の端部にスリットを設ける場合とスリットを設けない場合の両方がある。前記端部に溶接により固定されると共に縦向きに配置されたガセットプレートを利用して、横方向の繋ぎ梁あるいは横方向の斜材を、これらを取り付ける側（繋ぎ梁に対しては弦材、または斜材に対しては弦材または繋ぎ梁）のガセットプレートにボルト接合により固定することができ、接合作業が容易になるばかりでなく、ガセットプレートの上面側の面積を少なくすることができ、その結果、ガセットプレートの上面側の塵埃等の堆積を少なくすることができ、また、雨水または水洗浄等による雨水の滞留を抑制することができる。また、塵埃等の堆積あるいは雨水等の滞留によるトラス架構の腐食を防止することができる。また、塵埃等の堆積あるいは雨水等の滞留によるトラス架構に設けられる塗装塗膜の損傷を防止することができる。その結果、トラス架構の寿命を延ばすことができる等の効果が得られる。
第４発明によると、前記繋ぎ梁あるいは横方向の斜材の端部は、前記端部に溶接により固定されると共に縦向きに配置されたガセットプレートを介して溶接接合されているので、繋ぎ梁あるいは横方向の斜材の端部にスリットを設けることなく、前記端部に溶接により固定されると共に縦向きに配置されたガセットプレートを利用して、横方向の繋ぎ梁あるいは横方向の斜材を、これらを取り付ける側（繋ぎ梁に対しては弦材、または斜材に対しては弦材または繋ぎ梁）の前記ガセットプレートに溶接接合により固定することができ、接合作業が容易になるばかりでなく、ガセットプレートの上面側の面積を少なくすることができ、その結果、ガセットプレートの上面側の塵埃等の堆積を少なくすることができ、また、雨水または水洗浄等による雨水の滞留を抑制することができる。また、塵埃等の堆積あるいは雨水等の滞留によるトラス架構の腐食を防止することができる。また、塵埃等の堆積あるいは雨水等の滞留によるトラス架構に設けられる塗装塗膜の損傷を防止することができる。その結果、トラス架構の寿命を延ばすことができる等の効果が得られる。
第５発明によると、第１発明または第２発明のコンベアー支持用の断面箱型のトラス架構において、横方向の繋ぎ梁と横方向の斜材の上面は、急傾斜上面とされているので、横方向の繋ぎ梁と横方向の斜材の上面に、塵埃等の堆積あるいは雨水の滞留を防止でき、また、水洗浄による清掃をする場合にも、効率よく塵埃をおとして洗浄清掃することができ、また、部材上面も平坦面の場合に比べて効率よく乾燥させることができる等の効果が得られる。
第６発明によると、コンベアー支持用の断面箱型のトラス架構において、全ての部材の上面は、４５度以上傾斜とされているので、部材の上面に、塵埃等の堆積あるいは雨水の滞留を防止でき、また、水洗浄による清掃をする場合にも、効率よく塵埃をおとして洗浄清掃することができ、また、部材上面も平坦面の場合に比べて効率よく乾燥させることができる等の効果が得られる。
第７発明によると、コンベアー支持用の断面箱型のトラス架構において、ガセットプレートが接合される断面角型鋼管の接合部に補強鋼板を溶接固定することにより断面角形鋼管の管壁を補強していることとなり、断面角型鋼管の剛性を向上することが可能となる。
【図面の簡単な説明】
【００１６】
【図１】本発明の第１実施形態のバラ物の搬送コンベアー支持用の断面箱型のトラス架構の主要部を示す概略斜視図である。
【図２】（ａ）は図１に示すトラス架構の正面図、（ｂ）はその一部を拡大して示す図である。
【図３】図１の一部を拡大して示す斜視図である。
【図４】図１の平面図である。
【図５】図４の一部を拡大して示す平面図である。
【図６】本発明のトラス架構において使用する縦向きにガセットプレートを取り付けた弦材を示すものであって、（ａ）は平面図、（ｂ）は（ａ）のａ−ａ線断面図、（ｃ）は（ａ）のｂ−ｂ線断面図である。
【図７】本発明のトラス架構において使用する繋ぎ梁を示すものであって、（ａ）は平面図、（ｂ）は（ａ）のｄ−ｄ線断面図、（ｃ）は（ａ）のｅ−ｅ線断面図である。
【図８】本発明のトラス架構において使用する斜材を示すものであって、（ａ）は平面図、（ｂ）は（ａ）の一部を拡大して示す図、（ｃ）は（ｂ）のｆ−ｆ線断面図である。
【図９】本発明の第１実施形態のトラス架構の概略図であって、（ａ）は平面図、（ｂ）は側面図である。
【図１０】本発明の第２実施形態のバラ物の搬送コンベアー支持用の断面箱型のトラス架構の主要部を示す概略斜視図である。
【図１１】（ａ）は図１０に示すトラス架構の正面図、（ｂ）はその一部を拡大して示す図である。
【図１２】図１０の平面図である。
【図１３】本発明の第２実施形態のトラス架構の概略図であって、（ａ）は平面図、（ｂ）は側面図、（ｃ）は（ｂ）のｇ−ｇ線断面図である。
【図１４】第２実施形態のトラス架構相互を添え板により連結し、足場部を設けた形態を示す斜視図である。
【図１５】図１４における直列に隣り合うトラス架構相互の添え板による連結部付近を拡大して示す斜視図である。
【図１６】図１５の一部を拡大して示す斜視図である。
【図１７】従来のバラ物搬送コンベアー支持用の断面箱型のトラス架構の主要部を示す概略斜視図である。
【図１８】図１７の正面図である。
【図１９】図１７の一部を拡大して示す斜視図である。
【図２０】トラス架構の内側に搬送用コンベアーを設置した形態を示す縦断正面図である。
【図２１】弦材に鋼管を用いたトラス架構によるコンベアー支持用の断面箱型のトラス架構を示す斜視図である。
【図２２】図２１のフランジ継手連結部を拡大して示す斜視図である。
【図２３】トラス架構の上側に搬送用コンベアーを設置した形態を示す縦断正面図である。
【図２４】断面角形鋼管の剛性の試験部材の形態を示す図で、正面図と側面図である。
【図２５】補強鋼板により補強された断面角形鋼管の形態を示す斜視図である。
【図２６】補強鋼板により補強された断面角形鋼管の形態を示す図で、正面図と側面図である。
【図２７】鋼板の傾斜角の影響を試験した試験部材の形態を示す図である。
【発明を実施するための形態】
【００１７】
次に、本発明を図示の実施形態に基づいて詳細に説明する。
【００１８】
図１〜図５および図９には、本発明の第１実施形態の石炭あるいはコークス等の粉体を含むバラ物を搬送するための搬送コンベアーを支持するための断面箱型のトラス架構１の主要部が示されている。図１は搬送コンベアー支持用の断面箱型のトラス架構１の概略斜視図、図２（ａ）は図１に示すトラス架構１の正面図、同図（ｂ）は図２（ａ）の一部を拡大して示す図、図３は図１の一部を拡大して示す斜視図、図４は図１の平面図、図５は図４の一部を拡大して示す平面図である。また、図９（ａ）および（ｂ）には、第１実施形態の断面箱型のトラス架構１の全体の概略平面図および側面図が、それぞれ示されている。
【００１９】
この形態は、箱型のトラス構造１における下側の繋ぎ梁２に、コンベアーフレームを支持させる形態のトラス構造であり、図２１に示す形態に対応している。
【００２０】
先ず、本発明の箱型のトラス構造１において使用する主要部品について、図６から図８を用いて説明すると、図６には、縦向きにガセットプレート３を固定した上弦材４あるいは下弦材５としての第１角形鋼管が示され、図７には、縦向きにガセットプレート３を固定した横方向の繋ぎ梁２が示され、図８には、両端部に鉛直方向貫通するスリット６を有する斜材７が示されている。
【００２１】
さらに具体的に説明すると、図６には、上下方向に延長するように縦向きに鋼板製のガセットプレート３を配置して、ガセットプレート３の基端側を溶接により固定した上弦材４あるいは下弦材５が示されている。
上弦材４および下弦材５として、鋼製角形鋼管が使用され、断面角形における対角方向の一つのコーナー部８が、各弦材４（５）における高レベル位置に配置され、断面角形の頂部に位置するように配置されている。
より具体的には、角形鋼管における断面角形断面で、対角方向が上下方向になるように配置して使用しているため、各弦材４（５）の上面および下面は、４５°に傾斜した急傾斜上面９と、急傾斜下面１０とされている。また、束材と結合する部分には、上弦材４の下端部または下弦材５の上端部に鉛直に、鋼板製のガセットプレート３が配置されて溶接により固定されている。
また、弦材に傾斜して交差するように、鉛直に、鋼板製の傾斜したガセットプレート３の基端部が溶接により、弦材における急傾斜上面９および急傾斜下面１０に当接されて、溶接により固定されている。
【００２２】
また、図７には、縦向きに鋼板製のガセットプレート３を配置してその基端側を溶接により固定した繋ぎ梁２が示されている。
繋ぎ梁２としても、前記弦材４（５）よりも外形の小さい鋼製角形鋼管が第２角形鋼管として使用され、角形鋼管における対角方向の一方のコーナー部（角部）８が、角形断面における高レベルに配置され頂部に位置するように配置されている。
弦材４（５）と同様に、角形鋼管における断面角形の対角方向が上下方向になるように配置して使用しているため、繋ぎ梁２の上面および下面は、４５°に傾斜した急傾斜上面９と、急傾斜下面１０とされている。また、繋ぎ梁２に傾斜して交差するように、鉛直に、鋼板製の傾斜したガセットプレート３の基端部が溶接により、繋ぎ梁２における急傾斜上面９および急傾斜下面１０に当接されて、溶接Ｗにより固定されている。
さらに、繋ぎ梁２の両端部には、各急傾斜上面９の接続部、および各急傾斜下面１０の接続部には、弦材４（５）側に固定のガセットプレート３を挿入配置するために、部材軸方向に延長するスリット６が設けられている。
前記の繋ぎ梁２の軸方向端部のスリット６は、弦材４間（または弦材５間）に繋ぎ梁２を配置して、弦材４（５）側に固定のガセットプレート３に、繋ぎ材２のスリット両側急傾斜上面９を溶接Ｗにより固定するためである。
ガセットプレート３が溶接される弦材４（５）には、図２５に示すような補強鋼板４７が溶接されることにより弦材４（５）の剛性が向上する。補強鋼板４７は、２枚の鋼板が溶接されていてもよいし、山形鋼等断面Ｌ字状鋼材を溶接してもよい。なお、前記ガセットプレート３は前記補強鋼板４７に溶接により固定される。
また、トラス架構の部材の上面は、水平面に対して４５度以上（少なくとも４５度）傾斜させることにより、上面に付着した塵埃等の堆積あるいは雨水の滞留を防止でき、また、水洗浄による清掃をする場合にも、効率よく塵埃をおとして洗浄清掃することができ、また、部材上面も平坦面の場合に比べて効率よく乾燥させることができる等の効果が得られる。ここで述べられている部材とは、繋ぎ梁、弦材、斜材、束材等のトラス架構を構成する全ての構成材のことである。
【００２３】
また、図８には、山形鋼からなりその各辺（板）３８の交差コーナー部８外面を頂部とするように、各辺（板）３８を左右同じ傾斜角となるように配置される、横方向の斜材７が示され、前記横方向の斜材７の両端部には、各急傾斜上面９が設けられ、その急傾斜上面９の接続部には、ガセットプレートを挿入配置するための部材軸方向に延長するスリット６が上下方向に貫通するように設けられている。スリット６の幅寸法は、ガセットプレート３の板厚寸法よりも僅かに大きくされている。
前記の横方向の斜材７のスリット６は、弦材４（５）と繋ぎ材２に交差するように横方向の斜材７を配置して、弦材４（５）に固定の縦向きのガセットプレート３と、繋ぎ材２に固定の縦向きのガセットプレート３とに、横向きの斜材７の各スリット両側の辺（板）３８上面を溶接Ｗにより固定する時に、部材上面側から、容易に溶接可能にするためである。縦向きのガセットプレートに横方向の斜材７を挿入するための材軸方向に延長するスリット（図示を省略した）が設けられ、そのスリットの幅寸法は、斜材の頂部よりも僅かに大きくされている。
【００２４】
図１〜図５および図９には、図６に示されている弦材を上弦材４あるいは下弦材５として、上下に間隔をおいて、同じ垂直面上に配置し、上弦材４あるいは下弦材５間に、溝形鋼（または山形鋼）を束材あるいは上下方向の縦向きの斜材として配置し、弦材に固定の縦向きのガセットプレート３に、溝形鋼（または山形鋼）を束材１１あるいは縦方向の斜材１５として使用し、束材１１あるいは縦方向の斜材１５におけるウェブ１２を、溶接またはボルトにより固定して側面トラス梁１３を構成している。
【００２５】
前記のように、各側面トラス梁１３における上弦材４あるいは下弦材５として、本発明では、角形鋼管（断面正方形の鋼管）を使用し、しかも、各角形鋼管の対角方向の一つのコーナー部が、最も高いレベルに配置された頂部に位置するように配置されている。このように弦材４（５）として角形鋼管を配置することで、弦材上面は平坦な上面がなくなり、しかも上弦材４および下弦材５の上面は、それぞれ各急傾斜上面９となり、平坦面あるいは凹部でなくなり、雨水による洗浄あるいは水洗による洗浄も容易で、部材幅方向に流して撤去可能になることから洗浄による清掃効果が上がり、粉塵等の塵埃の堆積あるいは雨水の滞留を防止するようにしている。また、上弦材４および下弦材５の下面側も急傾斜面１０となり、塵埃の付着を極力防止していると共に水の切れを良くし、防食上、有利な部材としている。
【００２６】
図示の形態では、断面でほぼ正四角形とされた角形鋼管を使用し、一つの対角方向が上下方向になるように角形鋼管を４５°回転させた配置とすることで、一方の対角方向が縦方向（鉛直方向）に、他方の対角方向が横方向となるようにされている。
【００２７】
角形鋼管からなる間隔をおいて並行に隣り合う上弦材４相互、または角形鋼管からなる間隔をおいて隣り合う下弦材５相互は、図７に示すような繋ぎ梁２により連結されている。
各繋ぎ梁２は、前記各弦材における角形鋼管と同様に、角形断面における一方の対角方向が上下方向（例えば、鉛直方向）となるように、前記弦材と直交するように、繋ぎ梁２が配置されて、前記各弦材４（５）に、垂直配置等による縦ガセットプレート３を介して連結されている。
また、繋ぎ梁２と弦材４（５）とには、これらに傾斜して交差するように、図８に示すような横方向の斜材７が配置されて、前記繋ぎ梁２または弦材４（５）に垂直配置等による縦向きのガセットプレート３を介して連結されている。
弦材４（５）または繋ぎ梁２側に、板状のガセットプレートが垂直に配置されて、その基端部が溶接により固定されて、予め、縦向きのガセットプレート３を備えた縦ガセットプレート付き弦材４（５）または縦ガセットプレート付き繋ぎ梁２とされている。
【００２８】
また、繋ぎ梁２の軸方向端部の上下両端部、横方向の斜材７の軸方向の端部には、その幅方向中央部に、部材長手方向に延長するように、ガセットプレート挿入用のスリット６が設けられ、このような部材相互を、ガセットプレート３を介した溶接Ｗによる接合により、部材相互は接合されている。
【００２９】
具体的には、図２（ｂ）または図５に示すように、繋ぎ梁２におけるスリット６（または図示を省略するが、水平等横方向の斜材７におけるスリット６）に、弦材側の縦向きのガセットプレート３（または、図示を省略するが、繋ぎ梁２側の縦向きのガセットプレート３）が挿通配置されて、スリット６の上面側に突出するように配置され、部材（弦材４（５）または繋ぎ梁２）側の縦向きのガセットプレート３の上面が、これに取り付けられる部材（弦材に対しては繋ぎ梁２のスリット６、繋ぎ梁２に対しては横方向の斜材７のスリット６）よりも突出するように配置して、隅肉溶接Ｗにより固着して、弦材４（５）と繋ぎ梁２、弦材４（５）と横方向の斜材７、繋ぎ梁２と横方向の斜材７とを、これらに隅肉溶接Ｗにより固着したガセットプレート３を介して連結している。
【００３０】
図示の形態では、側面トラス１３相互が、繋ぎ梁２と横方向の斜材７とにより連結された箱型構造のトラス構造が形成されている。また、前記のような箱型構造のトラス構造相互を連結する必要がある場合には、図示を省略するが、一方の箱型トラス構造の端部の弦材４（５）または斜材７の端部に、複数のボルト挿通孔を設けて、適宜添え板等により連結した継手部連結部４０（第２実施形態として示す図１３参照）を設けることで、長尺な断面箱型のトラス架構１とするようにしてもよい。
【００３１】
なお、前記のような断面箱型のトラス架構１または長尺化されたトラス架構１Ａにおける箱型内に、バラ物搬送用のコンベヤーにおける脚部を繋ぎ梁２等に設置する。この場合、繋ぎ梁２における上面があるいは側面が水平面に対して少なくとも４５°に傾斜した一対の急傾斜上面あるいは急傾斜下面とされ、側面を兼ねているため、そのような一対の急傾斜面を備えた脚座を備えた脚部とし、ボルトまたは溶接等により繋ぎ梁２等に固定するようにすればよい。
前記実施形態の変形形態として、図示を省略するが、山形鋼からなる斜材の下面側からの溶接を併用するようにしてもよい。
また、前記第１実施形態の変形形態として、繋ぎ梁または斜材にスリットを設けない場合には、繋ぎ梁または斜材の端部に、取り付ける側の縦向きのガセットプレートを直接溶接により固定するようにしてもよい。この場合、例えば、繋ぎ梁が角形鋼管である場合には、弦材に溶接により固定される縦向きのガセットプレートを繋ぎ梁における上下のコーナー部に溶接により固定するようにすればよい。ガセットプレート側に溝を設けて角形鋼管の端部を配置して溶接により固定するようにしてもよい。また、繋ぎ梁または斜材が山形鋼である場合には、弦材側に固定の縦向きのガセットプレートを、山形鋼における内隅部に溶接により固定するようにしてもよく、また、ガセットプレートに溝を設けて、山形鋼のコーナー部の端部をガセットプレートの溝内に配置して溶接により固定するようにしてもよい。このような形態でも、角形鋼管あるいは山形鋼の配置形態は、前記実施形態と同様であり、前記実施形態と同様な効果が得られる。
【００３２】
（第２実施形態）
図１０から図１６には、搬送用コンベアーを、上部に設置する形態の本発明の第２実施形態の箱型のトラス構造１が示されている。
この形態と前記第１実施形態とは同様な要素が多いので、同様な部分には、同様な符号を付して、相違する部分を主に説明する。
【００３３】
側面トラス梁１３を形成している束材１１および鉛直配置の縦方向の斜材１５が短尺の鋼製溝形鋼が用いられて、上弦材４または下弦材５に溶接により固定の鉛直なガセットプレート３に、束材１１および鉛直な斜材１５におけるウェブが当接されて溶接等により固定されている。
したがって、側面トラス梁１３の梁せいが、低くなっている以外は、前記第１実施形態の側面トラス梁１３の場合と同様である。また、各側面トラス梁１３相互は、前記第１実施形態の場合に比べて、間隔が狭くされ、各上弦材４（下弦材５）の急傾斜上面９および急傾斜下面１０が交差する側端部に、弦材長手方向の軸線に対して傾斜して交差するように縦向きに、縦向きのガセットプレート３が固定されている。上弦材４相互または下弦材５相互の縦向きのガセットプレート３相互が、弦材４（５）に交差するように山形鋼からなる横方向に傾斜した繋ぎ梁２により連結されている。山形鋼からなる横方向に傾斜した繋ぎ梁２の端部にスリット６が設けられて、その部分に前記ガセットプレート３が嵌合配置されて、傾斜した繋ぎ梁２の上面側から溶接により固着される点は、前記実施形態の場合と同様である。この形態では、弦材４（５）の水平方向の中心軸線付近に、山側鋼からなる横方向の傾斜した繋ぎ梁２における各辺の端部が位置するように配置されている。
【００３４】
前記の横方向に傾斜した繋ぎ梁２は、図８に示す斜材７の形態と、同様な部材が用いられている。
【００３５】
断面箱型のトラス架構１相互を連結して長尺化する必要がある場合には、図１３に示すように、端部側の短尺の箱型構造のトラス架構１Ａと、中間部の短尺の箱型構造のトラス架構１Ｂにおける弦材４（５）の端部に間隔をおいて複数のボルト挿通孔を設けて、図１４〜図１６に示すように、添え板４１およびワンサイドボルト４２等を用いて、弦材４（５）における継手相互を連結して、継手連結部４０を形成し、長尺な断面箱型のトラス架構１Ｃとしてもよい。この場合には、横方向に傾斜した繋ぎ梁２または上下方向に傾斜した斜材１５は、直列に隣り合う断面箱型のトラス架構に亘って配置するようにしてもよい。また、横方向の斜材７の端部に継手板４３を設けて、斜材７が取り付く側のガセットプレート３に対してボルト接合４４により接合するようにしてもよい。なお、図１４中、符号４５は、断面箱型のトラス架構１Ａの端部に設けられ、上弦材４および下弦材５の端部に溶接により固定されている端部支柱であり、端部支柱４５の下部相互は、繋ぎ梁２により連結されている。また、束材１１等により支持させるように足場装置４６が設けられる。
【００３６】
なお、前記のような断面箱型のトラス架構１または長尺化されたトラス架構１Ｃにおける箱型上に、バラ物搬送用のコンベヤーにおける脚部を弦材４等に設置する。この場合、繋ぎ梁２における上面があるいは側面が水平面に対して少なくとも４５°に傾斜した一対の急傾斜上面あるいは急傾斜下面とされ、側面を兼ねているため、そのような一対の急傾斜面を備えた脚座を備えた脚部とし、ボルトまたは溶接等により繋ぎ梁２等に固定するようにすればよい。
【００３７】
本発明を実施する場合、図１４における前記のボルト接合４４付近の構造を、継手連結部以外の部分の部材相互の接合や、継手連結そのものが不要な場合でも、弦材と繋ぎ梁との接合、および弦材および繋ぎ梁と斜材との接合に適用してもよい。例えば、弦材に縦向きのガセットプレートの基端側を溶接により固定し、また、繋ぎ梁および斜材にそれぞれ縦向きのガセットプレートの基端側を固定し、弦材側の縦向きのガセットプレートと繋ぎ梁側の縦向きのガセットプレートとを重合してボルト・ナットによりボルト接合してもよい。同様に、弦材側の縦向きのガセットプレートと、繋ぎ梁側の縦向きのガセットプレートとに、それぞれ縦向きのガセットプレートを固定し、また、山形鋼からなる斜材の両端部に縦向きにガセットプレートを固定し、斜材両端部のガセットプレートをそれぞれ、弦材側の縦向きのガセットプレートまたは繋ぎ梁側の縦向きのガセットプレートに重合して、ボルト・ナットによりボルト接合するようにしてもよい。重合されたガセットプレート相互を接合する場合には、予めガセットプレートには、複数のボルト挿通孔を設けておく。このように、部材相互の重合されたガセットプレートをボルト接合すると、溶接作業が不要になるから、箱型断面に組み立てる時の溶接姿勢を気にする必要がなくなり、組み立て中の箱型トラスを反転しながらの接合（溶接）や特別な接合ディテールを用いることなく、箱型のトラス架構を組み立てることができる。
【００３８】
本発明を実施する場合、図示を省略するが、束材１１あるいは斜材７等についても、角形鋼管や山形鋼を使用してもよく、この場合、角形鋼管のコーナー部や、山形鋼の各辺が接続するコーナー部外面をコーナー部が上端部となるように配置する。弦材側に固定の鉛直縦向きのガセットプレートとの関係で、断面角形の角形鋼管の対角方向にスリットを設け、また山形鋼の各辺が水平方向に対して例えば４５°に傾斜した状態で、各辺の交差部に鉛直にスリットを部材端部に設けることで、部材上側に平面や凹部をなくし、さらに、これら部材同士の接合に垂直ガセットプレートを用いたトラス構造とすることで、塵埃等の堆積あるいは雨水等の滞留を防止して、防食環境を高めることができる。
【００３９】
本発明を実施する場合、搬送用のコンベアー３３を傾斜して上昇または下降するように配置する場合には、上弦材４または下弦材５を上昇または傾斜して下降するように傾斜配置するようにすればよい。
【００４０】
本発明を実施する場合、図示を省略するが、束材１１あるいは縦方向の斜材１５の部分にも、角形鋼管における断面角形の対角方向の一つのコーナー部が頂部（またはトラス架構における軸方向で、部材の側端）となるように配置したり、山形鋼における各辺３８が接続する角部のコーナー部が頂部（またはトラス架構における軸方向で、部材の側端）となるように配置してもよい。特に、ベルトコンベアーにおける傾斜上昇搬送部あるいは傾斜下降の搬送部では、断面箱型のトラス架構全体を傾斜配置することになり、弦材に垂直な束材１１も鉛直方向から傾斜した状態になるため、束材１１あるいは縦方向の斜材１５に、角形鋼管における断面角形の対角方向の一つのコーナー部が頂部（またはトラス架構における軸方向で、部材の側端）となるように配置したり、山形鋼における各辺が接続する角部のコーナー部が頂部（またはトラス架構における軸方向で、部材の側端）となるように設置すると、前記実施形態同様に、束材１１あるいは縦方向の斜材１５がその軸方向に傾斜していると共に、それらの上面が急傾斜上面となるため、鉛直方向から傾斜している束材１１あるいは縦方向の斜材１５の上面に、塵埃が堆積したとしても、水による洗浄清掃が容易で、水切れもよい。
【００４１】
すなわち、本発明を実施する場合、断面箱型のトラス架構における束材または縦方向の斜材として、断面角形の第３角形鋼管が用いられ、その断面角形の第３角形鋼管の対角方向が前記断面箱型のトラス架構の長手方向となるように配置されていると、剛性の高い束材または縦方向の斜材とすることができるばかりでなく、束材または縦方向の斜材にも、塵埃あるいは雨水の滞留を防止でき、また水洗浄の容易なトラス架構とすることができる。
また、本発明を実施する場合、断面箱型のトラス架構における束材または縦方向の斜材として、山形鋼が用いられ、その山形鋼のコーナー部が、山形鋼の各辺３８の縁部よりも上部となるように配置されていると、前記第４発明と同様に束材または縦方向の斜材についても、塵埃あるいは雨水の滞留を防止でき、また水洗浄の容易なトラス架構とすることができる。
【００４２】
本発明を実施する場合、水による洗浄は、高圧水による洗浄が望ましい。弦材，繋ぎ梁，束材，縦向きに傾斜した斜材等の部材の幅方向に急傾斜上面９を備えていたり、縦向きのガセットプレートとされていると上面側の幅が狭いため、塵埃あるいは雨水等を水を利用して部材幅方向に流すことができるため、部材長手方向に塵埃あるいは雨水を流す場合に比べて、短い距離で、塵埃あるいは雨水を落下させて撤去することができる。
【００４３】
本発明を実施する場合、束材１１あるいは縦方向の斜材１５として、溝形鋼を使用した場合、鉛直方向に配置される以外は、傾斜配置となるため、溝形鋼の下フランジが上フランジの下側で清掃しにくい部分となるため、このような部位の束材１１あるいは縦方向の斜材１５としては、角形鋼管あるいは山形鋼のコーナー部が上部となるように配置することで、影となる下フランジが存在しない部材となり望ましい。なお、縦方向の斜材としては、山形鋼の一辺を横向きに配置したり、Ｈ形鋼のウェブ部分を切断したカットＴ形鋼のウェブ部分を横向きに配置する形態で使用する場合には、部材そのものが急傾斜状態で配置されているので、塵埃の堆積、雨水の滞留、あるいはこれらの水洗浄による清掃除去に有効に機能することができる
【００４４】
本発明を実施する場合、山形鋼としては、等辺山形鋼を使用するのが望ましいが、それ以外の山形鋼を使用するようにしてもよい。
【実施例】
【００４５】
１）構造性能の確認
本発明における接合部分の実施例を示す。
図２４は上弦材４または下弦材５とガセットプレート３の寸法と耐力の関係を確認するための試験の実施状況を示す。
試験体は、トラス架構の部分モデルである。当該モデルは上弦材４または下弦材５及びガセットプレート３及び横方向の斜材７から構成され、上弦材４または下弦材５の両端を固定し、２つの横方向の斜材７に圧縮力及び引張力Pを作用させることでトラス内の応力状態を再現し、横方向の斜材の引張力及び圧縮力Pと接合部変形δC ,δTの関係を調査した。
試験体の寸法は、上弦材４または下弦材５については管径150mmと175mm、板厚4.5mmと６mm、ガセットプレート３については、幅85mmと128mmと181mmである。
試験の結果、接合部の降伏耐力は、上弦材４または下弦材５の板厚の増加に伴い増大し、ガセットプレート３の幅の増加に伴い増大した。一方で、上弦材４または下弦材５の管径の影響は小さかった。接合部の耐力はガセットプレート３が接合される角形鋼管の角を含む図２５の荷重負担範囲に示す山形断面の破壊により決まると考えられる。
前記山形断面の荷重負担範囲に図２６に示すように鋼製の山形板等の断面Ｌ字状の補強鋼板４７を溶接固定することにより、断面角形鋼管の管壁が補強される。
前記補強による断面角形鋼管の耐力の上昇は、断面角形鋼管の板厚に対する鋼製の山形板等の断面Ｌ字状の補強鋼板４７の板厚の比に比例する。例えば、角形鋼管の板厚6mmに対し、山形板4.5mmを溶接固定すれば、角形鋼管の耐力は補強前の耐力に対し1.75倍となる。
２）堆積抑制性能確認
本発明における粉塵堆積抑制効果を確認した実施例を示す。
稼働ベルトコンベアの下方に設置角度の異なる試験体を設置し、堆積状況を確認した。
図２７に示すように、試験体は平板からなる鋼板４８を水平面に対し0°,30°,45°,90°傾斜させて試験架台に設置し、５週間経過後の単位面積当たりの堆積量を計測した。
傾斜角度0°の水平な平板からなる鋼板４８には粒径の大小にかかわらず塵埃や落鉱が一面に堆積していた。鋼板４８の傾斜角度が大きくなるに従い粒径の小さいものは残るものの、粒径の大きいものの堆積量は明らかに少なくなり、鋼板４８の水平面に対する傾斜角度が大きくなるほどその差は顕著であった。
単位面積当たりの堆積量は、0°において8.0g/cm2、30°において2.4g/cm2、45°において0.8g/cm2 、90°において0.02g/cm2となり、45°以上傾斜させることで十分な堆積抑制効果が発揮された。
【符号の説明】
【００４６】
１  断面箱型のトラス架構
１Ａ  短尺な断面箱型のトラス架構
１Ｂ  短尺な断面箱型のトラス架構
１Ｃ  長尺な断面箱型のトラス架構
２  繋ぎ梁
３  ガセットプレート
４  上弦材
５  下弦材
６  スリット
７  横方向の斜材
８  一つのコーナー部
９  急傾斜上面
１０  急傾斜下面
１１  束材
１２  ウェブ
１３  側面トラス梁
１５  縦方向の斜材
２０  トラス架構
２１  断面Ｈ形鋼材
２２  フランジ
２３  上弦材
２４  下弦材
２５  縦向きガセットプレート
２６  溝形鋼
２７  束材
２８  斜材
２９  側面トラス梁
３０  繋ぎ梁
３１  横方向張り出しガセットプレート
３２  横方向の斜材
３３  搬送用コンベアー
３４  フレーム
３５  脚部
３６  円弧状緩傾斜面
３７  端部フランジ
３８  辺
４０  継手連結部
４１  添え板
４２  ワンサイドボルト
４３  継手板
４４  ボルト接合
４５  端部支柱
４６  足場装置
４７  補強鋼板
４８  鋼板
【図１】
2011099313.tif 000003
【図２】
2011099313.tif 000004
【図３】
2011099313.tif 000005
【図４】
2011099313.tif 000006
【図５】
2011099313.tif 000007
【図６】
2011099313.tif 000008
【図７】
2011099313.tif 000009
【図８】
2011099313.tif 000010
【図９】
2011099313.tif 000011
【図１０】
2011099313.tif 000012
【図１１】
2011099313.tif 000013
【図１２】
2011099313.tif 000014
【図１３】
2011099313.tif 000015
【図１４】
2011099313.tif 000016
【図１５】
2011099313.tif 000017
【図１６】
2011099313.tif 000018
【図１７】
2011099313.tif 000019
【図１８】
2011099313.tif 000020
【図１９】
2011099313.tif 000021
【図２０】
2011099313.tif 000022
【図２１】
2011099313.tif 000023
【図２２】
2011099313.tif 000024
【図２３】
2011099313.tif 000025
【図２４】
2011099313.tif 000026
【図２５】
2011099313.tif 000027
【図２６】
2011099313.tif 000028
【図２７】
2011099313.tif 000029